【事件の表示】
　特許第２９６００２５号「耐火スクリーン装置」の請求項１ないし４に係る特許に対する特許異議の申立てについて、次のとおり決定する。
【結　論】
　訂正を認める。
　特許第２９６００２５号の請求項１ないし４に係る特許を維持する。
【理　由】
１．手続の経緯
　特許第2960025号の請求項１〜４に係る発明についての出願は、平成９年１月２４日に特許出願され、平成１１年７月３０日にその発明について特許の設定登録がなされ、その後、その特許について、特許異議申立人早川次郎より特許異議の申立がなされ、取消理由通知がなされ、その指定期間内である平成１２年９月８日に訂正請求がなされたものである。
　
２．訂正の適否についての判断
（１）訂正の内容
　特許権者が求めている訂正の内容は以下のａ〜ｉのとおりである。
ａ．特許請求の範囲の請求項１において、
　「少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有することを特徴とする耐火スクリーン装置。」
とあるのを、
　「少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有し、
　前記第１の保持部及び前記第２の保持部は、第１の連結部材と第２の連結部材とにより形成し、
　前記第２の連結部材は、この第２の連結部材の幅方向の中間部に前記第１の連結部材に当接する当接凹部を形成し、
　前記第１の連結部材に前記第２の連結部材を固定することにより、前記第２の連結部材の当接凹部にて前記第１の保持部の一方の収容室と前記第２の保持部の他方の収容室が区画された状態に形成され、
　前記一方の収容室と他方の収容室内に、前記一方の難燃性耐火シートの抜止突条及び前記他方の難燃性耐火シートの抜止突条が、それぞれ収容されている
ことを特徴とする耐火スクリーン装置。」と訂正する。
　
ｂ．特許請求の範囲の請求項３において、
　「難燃性連結具は、第１の連結部材と、第２の連結部材と、前記第１の連結部材に前記第２の連結部材を固定する固定ねじと、からなり、前記第１の連結部材と前記第２の連結部材とにより第１の保持部及び第２の保持部をそれぞれ形成することを特徴とする請求項１記載の耐火スクリーン装置。」とあるのを、
　「難燃性連結具は、第１の連結部材と、第２の連結部材と、前記第１の連結部材に前記第２の連結部材を固定する固定ねじと、からなることを特徴とする請求項１記載の耐火スクリーン装置。」と訂正する。
　
ｃ．特許請求の範囲の請求項４において、
　「第１の保持部及び第２の保持部は、それぞれ棒状芯材を有する袋状部を収容する収容室と、この収容室に連通して開口され袋状部の折返縁部を挿通して前記袋状部を抜け止めする抜止口と、からなることを特徴とする請求項１乃至３のいずれかに記載の耐火スクリーン装置。」とあるのを、
　「第１の保持部の一方の収容室及び第２の保持部の他方の収容室は、それぞれ棒状芯材を有する袋状部を収容するもので、前記第１の保持部及び第２の保持部は、それぞれ前記収容室と、この収容室に連通して開口され袋状部の折返縁部を挿通して前記袋状部を抜け止めする抜止口と、からなる
ことを特徴とする請求項２記載の耐火スクリーン装置。」と訂正する。
　
ｄ．明細書の段落【０００５】の「請求項１記載の耐火スクリ−ン装置は、少なくとも２枚の難燃性耐火シ−トを有する難燃性耐火シート体と、この難燃性耐火シート体の２枚の難燃性耐火シ−トの連結縁部の相互を連結する難燃性連結具と、を具備し、前記２枚の難燃性耐火シートの連結縁部に抜止突条をそれぞれ形成し、前記難燃性連結具は、前記一方の難燃性耐火シートの抜止突条を保持して抜け止めする第１の保持部と、前記他方の難燃性耐火シートの抜止突条を保持して抜け止めする第２の保持部と、を有するものである。」とあるのを、
「請求項１記載の耐火スクリーン装置は、少なくとも２枚の難燃性耐火シートを有する難燃性耐火シート体と、この難燃性耐火シート体の２枚の難燃性耐火シートの連結縁部の相互を連結する難燃性連結具と、を具備し、前記２枚の難燃性耐火シートの連結縁部に抜止突条をそれぞれ形成し、前記難燃性連結具は、前記一方の難燃性耐火シートの抜止突条を保持して抜け止めする第１の保持部と、前記他方の難燃性耐火シートの抜止突条を保持して抜け止めする第２の保持部と、を有し、前記第１の保持部及び前記第２の保持部は、第１の連結部材と第２の連結部材とにより形成し、前記２の連結部材は、この第２の連結部材の幅方向の中間部に前記第１の連結部材に当接する当接凹部を形成し、前記第１の連結部材に前記第２の連結部材を固定することにより、前記第２の連結部材の当接凹部にて前記第１の保持部の一方の収容室と前記第２の保持部の他方の収容室が区画された状態に形成され、前記一方の収容室と他方の収容室内に、前記一方の難燃性耐火シートの抜止突条及び前記他方の難燃性耐火シートの抜止突条が、それぞれ収容されているものである。」と訂正する。
　
ｅ．明細書の段落【００１２】の「請求項３記載の耐火スクリーン装置は、請求項１記載の耐火スクリ−ン装置において、難燃性連結具は、第１の連結部材と、第２の連結部材と、前記第１の連結部材に前記第２の連結部材を固定する固定ねじと、からなり、前記第１の連結部材と前記第２の連結部材とにより第１の保持部及び第２の保持部をそれぞれ形成するものである。」
とあるのを、
「請求項３記載の耐火スクリーン装置は、請求項１記載の耐火スクリーン装置において、難燃性連結具は、第１の連結部材と、第２の連結部材と、前記第１の連結部材に前記第２の連結部材を固定する固定ねじと、からなるものである。」と訂正する。
　
ｆ．明細書の段落【００１４】の「請求項４記載の耐火スクリーン装置は、請求項１乃至３のいずれかに記載の耐火スクリ−ン装置において、第１の保持部及び第２の保持部は、それぞれ棒状芯材を有する袋状部を収容する収容室と、この収容室に連通して開口され袋状部の折返縁部を挿通して前記袋状部を抜け止めする抜止口と、からなるものである。」とあるのを、
「請求項４記載の耐火スクリーン装置は、請求項２記載の耐火スクリーン装置において、第１の保持部の一方の収容室及び第２の保持部の他方の収容室は、それぞれ棒状芯材を有する袋状部を収容するもので、前記第１の保持部及び第２の保持部は、それぞれ前記収容室と、この収容室に連通して開口され袋状部の折返縁部を挿通して前記袋状部を抜け止めする抜止口と、からなるものである。」と訂正する。
　
ｇ．明細書に添付の【図１】、【図２】、【図７】、【図１１】、【図１２】、【図１３】および【図１４】を削除する訂正を行う。
　これに伴い、もとの【図５】を新たな【図１】とし、もとの【図３】を新たな【図２】とし、もとの【図４】を新たな【図３】とし、もとの【図６】を新たな【図４】とし、もとの【図８】を新たな【図５】とし、もとの【図９】を新たな【図６】とし、もとの【図１０】を新たな【図７】とし、もとの【図１５】を新たな【図８】とする訂正を行う。
　
ｈ．１．明細書の段落【００１７】第１行の「図１乃至図４に示す」とあるのを「図１乃至図３に示す」と訂正する。
　　２．明細書の段落【００２７】全部の「また、前記複数の難燃性連結具２０は、第１の連結部材２６と、第２の連結部材２７と、前記第１の連結部材２６にスペーサ２８を介して前記第２の連結部材２７を固定する固定ねじとしての複数の皿ねじ２９と、からなっている。」
とあるのを、
「また、前記複数の難燃性連結具２０は、第１の連結部材２６と、第２の連結部材２７と、前記第１の連結部材２６に前記第２の連結部材２７を固定する固定ねじとしての複数の皿ねじ４１と、これら皿ねじ４１に締着する複数のナット４２と、からなっている。」と訂正する。
　　３．明細書の段落【００２８】第３行の「複数の皿ねじ２９」とあるのを、「複数の皿ねじ４１」と訂正する。
　　４．明細書の段落【００２９】全部の「また、前記第２の連結部材２７は、その幅方向の一端部に前記第１の連結部材２６の幅方向の一端部に対向する折曲片３０及びその幅方向の他端部に前記第１の連結部材２６の幅方向の他端部に対向する折曲片３１をそれぞれ有して断面略コ字形状に形成され、その長さ方向に前記第１の連結部材２６の各皿孔２６ａに対向位置して前記複数の皿ねじ２９を挿通する皿孔２７ａがそれぞれ形成されている。」
とあるのを、
「また、前記第２の連結部材２７は、たとえば、図１に示すように、この第２の連結部材２７の幅方向の中間部に板状の第１の連結部材２６に当接する当接凹部４０が形成され、この当接凹部４０に第１の連結部材２６に形成された各皿孔２６ａに連通する複数の取付孔４０ａがそれぞれ形成されている。さらに、この第２の連結部材２７の幅方向の一端部に前記第１の連結部材２６の幅方向の一端部に対向する折曲片３０及びその幅方向の他端部に前記第１の連結部材２６の幅方向の他端部に対向する折曲片３１がそれぞれ形成されている。」と訂正する。
　　５．明細書の段落【００３０】全部の「また、前記スペ−サ２８は‥‥‥を有している。」との記載を削除する訂正を行う。
　　６．明細書の段落【００３１】ないし【００３３】全部の「【００３１】そして、前記第１の連結部材２６に各皿孔２６ａの位置に対向して配置した複数のスペ−サ２８を介して前記第２の連結部材２７を配置した状態で、第１の連結部材２６の各皿孔２６ａから各スペーサ２８のねじ孔２８ａの一端部に前記皿ねじ２９を捩じ込んで締着するとともに、前記第２の連結部材２７の各皿孔２７ａから各スペーサ２８のねじ孔２８ａの他端部に前記皿ねじ２９を捩じ込んで締着することにより、前記第１の連結部材２６に複数のスペーサ２８を介して前記第２の連結部材２７が固定される。
【００３２】また、第１の連結部材２６側から捩じ込んだ各皿ねじ２９はねじ頭部２９ａを各皿孔２６ａ内に係合して収容された状態で締着され、かつ、この各皿ねじ２９のねじ頭部２９ａが第１の連結部材２６の表面に突出することなく締着される。また、第２の連結部材２７側から捩じ込んだ各皿ねじ２９はねじ頭部２９ａを各皿孔２７ａ内に係合して収容された状態で締着され、かつ、この各皿ねじ２９のねじ頭部２９ａ第２の連結部材２７の表面に突出することなく締着される。
【００３３】したがって、第１の連結部材２６の表面及び第２の連結部材２７の表面に突出する突起部がないため、難燃性耐火シ−ト１８を巻き取る際に第１の連結部材２６の表面及び第２の連結部材２７の表面にて難燃性耐火シート１８を損傷することなく難燃性耐火シート１８が巻き取られる。」
とあるのを、
「【００３１】そして、前記第１の連結部材２６の各皿孔２６ａから前記第２の連結部材２７の各取付孔４０ａに前記固定ねじとしての各皿ねじ４１をそれぞれ挿通し、この各皿ねじ４１に前記当接凹部４０内において前記ナット４２をそれぞれ締着することにより、第１の連結部材２６に第２の連結部材２７が固定される。
【００３２】また、第１の連結部材２６側から捩じ込んだ各皿ねじ４１はねじ頭部を各皿孔２６ａ内に係合して収容された状態で締着され、かつ、この各皿ねじ４１の円錐形状のねじ頭部が第１の連結部材２６の表面に突出することなく締着される。また、各ナット４２は第２の連結部材２７の当接凹部４０内において各皿ねじ４１に締着され、かつ、この各ナット４２及び各皿ねじ４１のねじ部が第２の連結部材２７の表面に突出することなく締着される。
【００３３】したがって、第１の連結部材２６の表面及び第２の連結部材２７の表面に突出する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。」と訂正する。
　　７．明細書の段落【００３４】第１行の「そして、前記各スペーサ２８を中心として前」とあるのを、「そして、前」と訂正する。
　　８．明細書の段落【００３４】第４行の「前記スペーサ２８を中心として連結」とあるのを、「前記第１及び第２の連結」と訂正する。
　　９．明細書の段落【００３５】第１行および第２行の「前記第１の保持部３２は、前記各スペーサ２８を中心として幅方向」とあるのを、「前記第１の保持部３２は、幅方向」と訂正する。
　　１０．明細書の段落【００３６】第１行および第２行の「前記第２の保持部３３は、前記各スペーサ２８を中心として幅方向」とあるのを、「前記第２の保持部３３は、幅方向」と訂正する。
　　１１．明細書の段落【００３６】第９行の「と、からなっている。」とあるのを、
「と、からなっている。なお、第１の連結部材２６に第２の連結部材２７を固定することにより、第２の連結部材２７の当接凹部４０にて第１の保持部３２の一方の収容室３４と第２の保持部３３の他方の収容室３６が区画された状態に形成され、これら一方の収容室３４と他方の収容室３６内に、 前記一方の難燃性耐火シート１８の抜止突条２１及び前記他方の難燃性耐火シート１８の抜止突条２１が、それぞれ収容されている。」と訂正する。
　　１２．明細書の段落【００５１】全部の「また、難燃性連結部２０は、‥‥構成される。」との記載を削除する訂正を行う。
　　１３．明細書の段落【００５２】全部の「そして、第１の保持部３２に‥‥保持される。」との記載を削除する訂正を行う。
　　１４．明細書の段落【００５４】全部の「つぎに、前記実施の形態は、‥‥形成する。」との記載を削除する訂正を行う。
　　１５．明細書の段落【００５５】全部の「そして、前記第１の連結部材２６‥‥してもよい。」との記載を削除する訂正を行う。
　　１６．明細書の段落【００５６】全部の「その他の構成は‥‥省略する。」との記載を削除する訂正を行う。
　　１７．明細書の段落【００５７】全部の「このように構成‥‥締着される。」との記載を削除する訂正を行う。
　　１８．明細書の段落【００５８】全部の「したがって、‥‥巻き取られる。」との記載を削除する訂正を行う。
　　１９．明細書の段落【００５９】全部の「また、‥‥収容できる。」との記載を削除する訂正を行う。
　　２０．明細書の段落【００６０】第１行および第２行の「前記各実施の形態の場合に限らず、たとえば、図６に示す」とあるのを、「前記実施の形態の場合に限らず、たとえば、図４に示す」と訂正する。
　　２１．明細書の段落【００６１】および【００６２】の３箇所の「前記各実施の形態」とあるのを、「前記実施の形態」と訂正する。
　　２２．明細書の段落【００６３】ないし【００６６】全部の「つぎに、‥‥巻き取られる。」との記載を削除する訂正を行う。
　　２３．明細書の段落【００６７】全部の「つぎに、前記難燃性連結具２０は、前記第２の実施の形態（図５）において、その第２の連結部材２７を、図８に示すように、幅方向の両側部に円弧状面２７ｃをそれぞれ形成した連結部材としたものである。」とあるのを、
「つぎに、前記難燃性連結具２０は、前記第１の実施の形態（図１）において、その第２の連結部材２７を、図５に示すように、幅方向の両側部に円弧状面２７ｃをそれぞれ形成した連結部材としたものである。」と訂正する。
　　２４．明細書の段落【００６８】の３箇所の「前記第２の実施の形態」とあるのを、「前記第１の実施の形態」と訂正する。
　　２５．明細書の段落【００７１】第１行および第２行の「なお、前記第２の実施の形態（図５）及び前記図８に示す実施の形態において、」とあるのを、「なお、前記第１の実施の形態（図１）及び前記図５に示す実施の形態において、」と訂正する。
　　２６．明細書の段落【００７２】第１行ないし第３行の「前記難燃性連結具２０は、前記第２の実施の形態（図５）において、‥‥図９に示すように、」とあるのを、
「前記難燃性連結具２０は、前記第２の実施の形態（図４）において、‥‥図６に示すように、」と訂正する。
　　２７．明細書の段落【００７５】全部の「さらに、前記難燃性連結具２０は、前記実施の形態（図９）において、その第１の連結部材２６を、図１０に示すように、幅方向の両側部に円弧状面２６ｂ をそれぞれ形成した連結部材としたものである。」とあるのを、
「さらに、前記難燃性連結具２０は、前記実施の形態（図６）において、その第１の連結部材２６を、図７に示すように、幅方向の両側部に円弧状面２６ｂをそれぞれ形成した連結部材としたものである。」と訂正する。
　　２８．明細書の段落【００７６】全部の「その他の構成は前記実施の形態（図９）の場合と同様であるからその実施の形態と同一構成はその実施の形態に用いた符号を付して説明を省略する。」とあるのを、
「その他の構成は前記実施の形態（図６）の場合と同様であるからその実施の形態と同一構成はその実施の形態に用いた符号を付して説明を省略する。」と訂正する。
　　２９．明細書の段落【００７８】ないし【００９４】全部の「また、前記第１の実施の形態（図１及び図２）において、……が巻き取られる。」との記載を削除する訂正を行う。
　　３０．【図面の簡単な説明】の欄の【図２】の「同上難燃性連結具の分解斜視図である。」とあるのを、「同上耐火スクリーン装置の正面図である。」と訂正する。
　　３１．【図面の簡単な説明】の欄の【図３】の「同上耐火スクリーン装置の正面図であ　る。」とあるのを、「同上縦断側面図である。」と訂正する。
　　３２．【図面の簡単な説明】の欄の【図４】の「同上縦断側面図である。」とあるのを、「他の実施の形態を示す耐火スクリーン装置の一部の断面図である。」と訂正する。
　　３３．【図面の簡単な説明】の欄の【図５】の「他の実施の形態を示す耐火スクリーン装置の一部の断面図である。」とあるのを、「更に他の実施の形態を示す耐火スクリーン装置の一部の断面図である。」と訂正する。
　　３４．【符号の説明】の欄の「２９　固定ねじ」とあるのを、「４１　固定ねじ」と訂正する。
　
ｉ．１．明細書の段落【００３６】第４行の「一方の袋状部２４を収容する収容室３６」とあるのを「他方の袋状部２４を収容する収容室３６」と訂正する。
　　２．明細書の段落【００６９】第２行および第４行の「皿ねじ２９」、「ねじ頭部２９ａ」とあるのを、「皿ねじ４１」、「ねじ頭部」と訂正する。
　　３．明細書の段落【００７２】第３行および段落【００７４】第６行の「当接凹部４０」とあるのを、「当接凹部４４」と訂正する。
　
（２）訂正の目的の適否、新規事項の有無及び拡張・変更の存否
　上記訂正事項ａは、もとの請求項１に記載された「難燃性連結具」を限定しようとするもので、特許請求の範囲の減縮を目的としたものである。
　また、上記訂正事項ｂ〜ｈは上記訂正事項ａの訂正に伴って明瞭でなくなった請求項３、請求項４、発明の詳細な説明、及び図面を明瞭にした訂正であって、明瞭でない記載の釈明を目的とするものである。
　さらに、上記訂正事項ｉは、誤記の訂正を目的とするものである。
　そして、上記ａ〜ｉの訂正は、願書に最初に添付した明細書または図面に記載された範囲内においてなされたものであり、また、実質的に特許請求の範囲を拡張し、または変更するものではない。
　以上のとおりであるから、上記訂正は、特許法第１２０条の４第第２項及び同条３項において準用する特許法第１２６条第２項から第４項までの規定に適合するので、当該訂正を認める。
　
３．特許異議の申立についての判断
（１）本件発明
　本件請求項１〜４に係る発明は上記２．で認定したとおり平成１２年９月８日付けで提出された訂正明細書の特許請求の範囲の請求項１〜４に記載された次のとおりのものである。
「【請求項１】　少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有し、
　前記第１の保持部及び前記第２の保持部は、第１の連結部材と第２の連結部材とにより形成し、
　前記第２の連結部材は、この第２の連結部材の幅方向の中間部に前記第１の連結部材に当接する当接凹部を形成し、
　前記第１の連結部材に前記第２の連結部材を固定することにより、前記第２の連結部材の当接凹部にて前記第１の保持部の一方の収容室と前記第２の保持部の他方の収容室が区画された状態に形成され、
　前記一方の収容室と他方の収容室内に、前記一方の難燃性耐火シートの抜止突条及び前記他方の難燃性耐火シートの抜止突条が、それぞれ収容されている
　ことを特徴とする耐火スクリーン装置。
　【請求項２】　抜止突条は、難燃性耐火シートの縁部を折り返して形成した袋状部と、この袋状部内に挿入した棒状芯材とにより形成する
　ことを特徴とする請求項１記載の耐火スクリーン装置。
　【請求項３】 難燃性連結具は、第１の連結部材と、第２の連結部材と、前記第１の連結部材に前記第２の連結部材を固定する固定ねじと、からなる
　ことを特徴とする請求項１記載の耐火スクリーン装置。
　【請求項４】　第１の保持部の一方の収容室及び第２の保持部の他方の収容室は、それぞれ棒状心材を有する袋状部を収容するもので、
　前記第１の保持部及び第２の保持部は、それぞれ前記収容室と、この収容室に連通して開口され袋状部の折返縁部を挿通して前記袋状部を抜け止めする抜止口と、からなる
　ことを特徴とする請求項２記載の耐火スクリーン装置。」
　
（２）申立の理由の概要
　特許異議申立人早川次郎は、甲第１号証（特開平7-54559号公報）、 甲第２号証（実公昭58-50079号公報）、甲第３号証の１（特開平7-328138号公報）、及び甲第３号証の２（特開平8-303147号公報）を提出し、本件請求項１〜４に係る発明は甲第１号証ないし甲第３号証の２記載の発明に基づいて、当業者が容易に発明をすることができるものであり、特許法第２９条第２項の規定に違反して特許がなされたものであり、取り消されるべきものである旨主張している。
　
（３）特許異議申立人が提出した甲各号証記載の発明
　ａ．特許異議申立人が提出した甲第１号証（特開平7-54559号公報）には、「本発明のシートシャッタは、上下方向に複数のシートを配列し、上下方向に平行に離間させて水平に設けた複数の補強ビームで隣接するシートを両面から挟持して連結するようにした。」（第２頁右欄１５〜１８行目）、及び「‥‥補強ビーム対でシートを両面からボルトで挟着して、補強ビーム同士をボルト結合する。」（第２頁右欄３１〜３３行目）と記載されており、複数のシートを連結具により連結して構成したスクリーン装置において、連結具は、第１の連結部材と、第２の連絡部材と、第１の連結部材に第２の連結部材を固定する固定ねじとからなることが図面とともに記載されている。
　
  ｂ．特許異議申立人が提出した甲第２号証（実公昭58-50079号公報）には、「図において、１及び２は一対の接合部材で、その各々の長手方向に沿う両端を内側に円弧状に彎曲させてシート３，３′の端部にスチールパイプ４を巻込んで形成した膨大部５の挟持部６，７を設け、又両接合部材１の内面に断面矢印状の係止条片８を一体に設け、他方の接合部材２の内面には前記係止突片８の押圧作用で係合する空間９を有する係止条片１０を突設してある。ゆえに第１図に示すように一方の接合部材１の挟持部６をシート３の膨大部５に接触させた状態で、係止条片８に他方の接合部材２の係止条片１０を押付けると第２図に示すように係止条片１０の先端は一旦開いて矢印状の空間に係止条片８が入り込み、結合される。‥‥‥第３図乃至第６図は本考案の接続装置をシ一トシヤツターに応用した例を示したもので、シート本体３は接合部材１，２により接続されており‥‥」（第１頁右欄５〜２２行目）と記載されており、少なくとも２枚のシートを有するシート体と、このシート体の２枚のシートの連結緑部の相互を連結する連結具と、を具備し、前記２枚のシートの連結縁部に抜止突条をそれぞれ形成し、前記連結具は、前記一方のシートの抜止突条を保持して抜け止めする第１の保持部と、前記他方のシートの抜止突条を保持して抜け止めする第２の保持部と、を有するスクリーン装置が記載され、また、抜止突条は、シートの縁部を折り返して形成した袋状部と、この袋状部内に挿入した棒状芯材とにより形成すること、連結具は、第１の連結部材と、第２の連絡部材と、前記第１の連結部材に前記第２の連結部材を固定する固定手段と、からなり、前記第１の連結部材と前記第２の連結部材とにより第１の保持部及び第２の保持部をそれぞれ形成すること、及び第１の保持部及び第２の保持部は、それぞれ棒状芯材を有する袋状部を収容する収容室と、この収容室に連通して開口され袋状部の折返縁部を挿通して前記袋状部を抜け止めする抜止口と、からなることが記載されている。
　
  ｃ．特許異議申立人が提出した甲第３号証の１（特開平7-328138号公報）には、「防煙シート３は、断熱、耐火性を有した巻き取り可能な可撓性シートで構成され」（第３頁左欄１２〜１３行）と記載されており、防煙シートを耐火性材料からなるシートで構成することが記載されている。
　
  ｄ．特許異議申立人が提出した甲第３号証の２（特開平8-303147号公報）には、「本発明は、ロールスクリーンに関するものであり、詳しくは火災時の火炎伝播を抑制し、また避難のために有効なロールスクリーンに関する。」（第２頁左欄１５〜１７行目）、「また、ロールスクリーンを構成する巻取り軸やウエイトバーあるいはその他の部品についても不燃性又は難燃性の素材を用いて構成することが好ましい。」（第２頁右欄１８〜２１行目）、及び「上記した生布２は、不燃性あるいは難燃性材料からなるシート、例えば、１０００℃の耐熱性を有するシリカクロスを用いて構成され、その上端が上記巻取り軸に連結されると共に、下端はウエイトバー６に連結される。」（第３頁左欄４８〜同頁右欄２行目）と記載されており、難燃性耐火シートにより耐火スクリーン装置を構成すること、及び耐火スクリーン装置を構成する種々の部品を難燃性の素材を用いて構成することが記載されている。
　
（４）対比・判断
　　ａ．請求項１に係る発明について　
　　　本件請求項１に係る発明と特許異議申立人が提出した甲各号証に記載された発明とを対比すると、甲各号証には、請求項１に係る発明の「第２の連結部材の幅方向の中間部に前記第１の連結部材に当接する当接凹部を形成し、前記第１の連結部材に前記第２の連結部材を固定することにより、前記第２の連結部材の当接凹部にて前記第１の保持部の一方の収容室と前記第２の保持部の他方の収容室が区画された状態に形成され」る構成とした点が記載されておらず、かかる事項を示唆する記載もない。
　そして、本件請求項１にかかる発明はかかる事項を構成要件としたことにより、本件明細書に記載された効果を奏するものである。
　よって、本件請求項１にかかる発明は、特許異議申立人が提出した甲各号証に記載された発明に基づいて当業者が容易に発明をすることができたものであるとすることはできない。
　
　　ｂ．請求項２〜４に係る発明について
　　本件請求項２〜３に係る発明は請求項１に係る発明をさらに限定するものであり、また、本件請求項４に係る発明は請求項２をさらに限定するものであるから、請求項２〜４に係る発明は、請求項１に係る発明ついての判断と同様の理由により、甲各号証に記載された発明に基づいて当業者が容易に発明をすることができたものであるとすることはできない。
　
（５）むすび
　以上のとおりであるから、特許異議の申立の理由及び証拠によっては本件請求項１〜４に係る発明についての特許を取り消すことはできない。
　また、他に本件請求項１〜４に係る発明についての特許を取り消すべき理由を発見しない。
　よって、結論のとおり決定する。
【異議決定日】
平成１２年１０月１２日（２０００．１０．１２）
【訂正の要旨】
（３）訂正事項
　ａ．特許第２９６００２５号の明細書の特許請求の範囲の【請求項１】において、
　「少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有する
　ことを特徴とする耐火スクリーン装置。」とあるのを、
　特許請求の範囲の減縮を目的として、
　「少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有
し、
　前記第１の保持部及び前記第２の保持部は、第１の連結部材と第２の連結部材により形成し、
　前記第２の連結部材は、この第２の連結部材の幅方向の中間部に前記第１の連結部材に当接する凹部を形成し、
　前記第１の連結部材に前記第２の連結部材を固定することにより、前記第２の連結部材の当接凹部にて前記第１の保持部の一方の収容室と前記第２の保持部の他方の収容室が区画された状態に形成され、
　前記一方の収容室と他方の収容室内に、前記一方の難燃性耐火シートの抜止突条及び前記他方の難燃性耐火シートの抜止突条が、それぞれ収容されている
　ことを特徴とする耐火スクリーン装置。」と訂正する。
ｂ．請求項１の記載との整合をとるため、明りょうでない記載の釈明を目的として、
　もとの明細書の【請求項３】の「難燃性連結具は、第１の連結部材と、第２の連結部材と、前記第１の連結部材に前記第２の連結部材を固定する固定ねじと、からなり、前記第１の連結部材と前記第２の連結部材とにより第１の保持部及び第２の保持部をそれぞれ形成することを特徴とする請求項１記載の耐火スクリーン装置。」とあるのを、
　「難燃性連結具は、第１の連結部材と、第２の連結部材と、前記第１の連結部材に前記第２の連結部材を固定する固定ねじと、からなることを特徴とする請求項１記載の耐火スクリーン装置。」と訂正する。
ｃ．請求項１の記載との整合をとるため、明りょうでない記載の釈明を目的として、
　もとの明細書の【請求項４】の「第１の保持部及び第２の保持部は、それぞれ棒状芯材を有する袋状部を収容する収容室と、この収容室に連通して開口され袋状部の折返縁部を挿通して前記袋状部を抜け止めする抜止口と、からなることを特徴とする請求項１乃至３のいずれかに記載の耐火スクリーン装置。」とあるのを、
　「
第１の保持部の一方の収容室及び第２の保持部の他方の収容部は、それぞれ棒状芯材を有する袋状部を収容するもので、前記
前記
２
ｄ．請求項１の記載との整合をとるため、明りょうでない記載の釈明を目的として、
　もとの明細書の【０００５】の「請求項１記載の耐火スクリーン装置は、……ものである。」とあるのを、
　「請求項１記載の耐火スクリーン装置は、少なくとも２枚の難燃性耐火シートを有する難燃性耐火シート体と、この難燃性耐火シート体の２枚の難燃性耐火シートの連結縁部の相互を連結する難燃性連結具と、を具備し、前記２枚の難燃性耐火シートの連結縁部に抜止突条をそれぞれ形成し、前記難燃性連結具は、前記一方の難燃性耐火シートの抜止突条を保持して抜け止めする第１の保持部と、前記他方の難燃性耐火シートの抜止突条を保持して抜け止めする第２の保持部と、を有
し、前記第１の保持部及び前記２の保持部は、第１の連結部材と第２の連結部材とにより形成し、前記第２の連結部材は、この第２の連結部材の幅方向の中間部に前記第１の連結部材に当接する当接凹部を形成し、前記第１の連結部材に前記第２の連結部材を固定することにより、前記第２の連結部材の当接凹部にて前記第１の保持部の一方の収容室と前記第２の保持部の他方の収容室が区画された状態に形成され、前記一方の収容室と他方の収容室内に、前期一方の難燃性耐火シートの抜止突条及び前記他方の難燃性耐火シートの抜止突条が、それぞれ収容されている
ｅ．請求項３の記載との整合をとるため、明りょうでない記載の釈明を目的として、
　もとの明細書の【００１２】の「請求項３記載の耐火スクリーン装置は、……ものである。」とあるのを、
　「請求項３記載の耐火スクリーン装置は、請求項１記載の耐火スクリーン装置において、難燃性連結具は、第１の連結部材と、第２の連結部材と、前記第１の連結部材に前記第２の連結部材を固定する固定ねじと、からな
る
ｆ．請求項４の記載との整合をとるため、明りょうでない記載の釈明を目的として、
　もとの明細書の【００１４】の「請求項４記載の耐火スクリーン装置は、……ものである。」とあるのを、
　「請求項４記載の耐火スクリーン装置は、請求項
２
第１の保持部の一方の収容室及び第２の保持部の他方の収容室は、それぞれ棒状芯材を有する袋状部を収容するもので、前記
前記
ｇ．特許第２９６００２５号の図面において、特許請求の範囲の記載との整合をとるため、明りょうでない記載の釈明を目的として、もとの【図１】、【図２】、【図７】、【図１１】、【図１２】、【図１３】および【図１４】を削除する訂正を行う。
　これに伴い、
　もとの【図５】を新たな【図１】とし、
　もとの【図３】を新たな【図２】とし、
　もとの【図４】を新たな【図３】とし、
　もとの【図６】を新たな【図４】とし、
　もとの【図８】を新たな【図５】とし、
　もとの【図９】を新たな【図６】とし、
　もとの【図１０】を新たな【図７】とし、
　もとの【図１５】を新たな【図８】とする訂正を行う。
ｈ．特許第２９６００２５号の明細書において、特許請求の範囲の記載および図面との整合をとるため、明りょうでない記載の釈明を目的として、下記のとおり訂正する。
　すなわち、
　１．もとの明細書の【００１７】第１行の「図１乃至図４に示す」とあるのを「図１乃至図
３
　２．もとの明細書の【００２７】全部の「また、前記複数の難燃性連結具２０は、……からなっている。」とあるのを、「また、前記複数の難燃性連結具２０は、第１の連結部材２６と、第２の連結部材２７と、前記第１の連結部材２６
に前
４１
これら皿ねじ４１に締着する複数のナット４２と、
　３．もとの明細書の【００２８】第３行の「複数の皿ねじ２９」とあるのを、「複数の皿ねじ
４１
　４．もとの明細書の【００２９】全部の「また、前記第２の連結部材２７は、……形成されている。」とあるのを、「また、前記第２の連結部材２７は、
たとえば、図１に示すように、この第２の連結部材２７の幅方向の中間部に板状の第１の連結部材２６に当接する当接凹部４０が形成され、この当接凹部４０に第１の連結部材２６に形成された各皿孔２６ａに連通する複数の取付孔４０ａがそれぞれ形成されている。さらに、この第２の連結部材２７の
がそれぞれ形成されている。
　５．もとの明細書の【００３０】全部の「また、前記スペーサ２８は……を有している。」との記載を削除する訂正を行う。
　６．もとの明細書の【００３１】ないし【００３３】全部の「そして、前記第１の連結部材２６に……巻き取られる。」とあるのを、「そして、
前記第１の連結部材２６の各皿孔２６ａから前記第２の連結部材２７の各取付孔４０ａに前記固定ねじとしての各皿ねじ４１をそれぞれ挿通し、この各皿ねじ４１に前記当接凹部４０内において前記ナット４２をそれぞれ締着することにより、第１の連結部材２６に第２の連結部材２７が固定される。また、第１の連結部材２６側から捩じ込んだ各皿ねじ４１はねじ頭部を各皿孔２６ａ内に係合して収容された状態で締着され、かつ、この各皿ねじ４１の円錐形状のねじ頭部が第１の連結部材２６の表面に突出することなく締着される。また、各ナット４２は第２の連結部材２７の当接凹部４０内において各皿ねじ４１に締着され、かつ、この各ナット４２及び各皿ねじ４１のねじ部が第２の連結部材２７の表面に突出することなく締着される、したがって、第１の連結部材２６の表面及び第２の連結部材２７の表面に突出する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。
　７．もとの明細書の【００３４】第１行の「そして、前記各スペーサ２８を中心として前」とあるのを、「そして
、前
　８．もとの明細書の【００３４】第４行の「前記スペーサ２８を中心として連結」とあるのを、「
前記第１及び第２の
　９．もとの明細書の【００３５】第１行および第２行の「前記第１の保持部３２は、前記各スペーサ２８を中心として幅方向」とあるのを、「前記第１の保持部３２は
、幅
　１０．もとの明細書の【００３６】第１行および第２行の「前記第２の保持部３３は、前記各スペーサ２８を中心として幅方向」とあるのを、「前記第２の保持部３３は
、幅
　１１．もとの明細書の【００３６】第９行の「と、からなっている。」とあるのを、「と、からなっている。
なお、第１の連結部材２６に第２の連結部材２７を固定することにより、第２の連結部材２７の当接凹部４０にて第１の保持部３２の一方の収容室３４と第２の保持部３３の他方の収容室３６が区画された状態に形成され、これら一方の収容室３４と他方の収容室３６内に、前記一方の難燃性耐火シート１８の抜止突条２１及び前記他方の難燃性耐火シート１８の抜止突条２１が、それぞれ収容されている。
　１２．もとの明細書の【００５１】全部の「また、難燃性連結部２０は、……構成される。」との記載を削除する訂正を行う。
　１３．もとの明細書の【００５２】全部の「そして、第１の保持部３２に……保持される。」との記載を削除する訂正を行う。
　１４．もとの明細書の【００５４】全部の「つぎに、前記実施の形態は、……形成する。」との記載を削除する訂正を行う。
　１５．もとの明細書の【００５５】全部の「そして、前記第１の連結部材２６……してもよい。」との記載を削除する訂正を行う。
　１６．もとの明細書の【００５６】全部の「その他の構成は……省略する。」との記載を削除する訂正を行う。
　１７．もとの明細書の【００５７】全部の「このように構成……締着される。」との記載を削除する訂正を行う。
　１８．もとの明細書の【００５８】全部の「したがって、……巻き取られる。」との記載を削除する訂正を行う。
　１９．もとの明細書の【００５９】全部の「また、……収容できる。」との記載を削除する訂正を行う。
　２０．もとの明細書の【００６０】第１行および第２行の「前記各実施の形態の場合に限らず、たとえば、図６に示す」とあるのを、「前
記実
４
　２１．もとの明細書の【００６１】および【００６２】の３箇所の「前記各実施の形態」とあるのを、「前
記実
　２２．もとの明細書の【００６３】ないし【００６６】全部の「つぎに、……巻き取られる。」との記載を削除する訂正を行う。
　２３．もとの明細書の【００６７】全部の「つぎに、前記難燃性連結具２０は、前記第２の実施の形態（図５）において、その第２の連結部材２７を、図８に示すように、幅方向の両側部に円弧状面２７ｃをそれぞれ形成した連結部材としたものである。」とあるのを、「
つ
１
１
５
　２４．もとの明細書の【００６８】の３箇所の「前記第２の実施の形態」とあるのを、「前記第
１
　２５．もとの明細書の【００７１】第１行および第２行の「なお、前記第２の実施の形態（図５）及び前記図８に示す実施の形態において、」とあるのを、「なお、前記第
１
１
５
　２６．もとの明細書の【００７２】第１行ないし第３行の「前記難燃性連結具２０は、前記第２の実施の形態（図５）において、……図９に示すように、」とあるのを、「前記難燃性連結具２０は、前記第２の実施の形態（図
４
６
　２７．もとの明細書の【００７５】全部の「さらに、前記難燃性連結具２０は、前記実施の形態（図９）において、その第１の連結部材２６を、図１０に示すように、幅方向の両側部に円弧状面２６ｂをそれぞれ形成した連結部材としたものである。」とあるのを、「さらに、前記難燃性連結具２０は、前記実施の形態（図
６
７
　２８．もとの明細書の【００７６】全部の「その他の構成は前記実施の形態（図９）の場合と同様であるからその実施の形態と同一構成はその実施の形態に用いた符号を付して説明を省略する。」とあるのを、「その他の構成は前記実施の形態（図
６
　２９．もとの明細書の【００７８】ないし【００９４】全部の「また、前記第１の実施の形態（図１及び図２）において、……が巻き取られる。」との記載を削除する訂正を行う。
　３０．もとの明細書の【図２】の「同上難燃性連結具の分解斜視図である。」とあるのを、「
同上耐火スクリーン装置の正面図である。
　３１．もとの明細書の【図３】の「同上耐火スクリーン装置の正面図である。」とあるのを、「
同上縦断側面図である。
　３２．もとの明細書の【図４】の「同上縦断側面図である。」とあるのを、「
他の実施の形態を示す耐火スクリーン装置の一部の断面図である。
　３３．もとの明細書の【図５】の「他の実施の形態を示す耐火スクリーン装置の一部の断面図である。」とあるのを、「
更に
　３４．もとの明細書の【符号の説明】の「２９　固定ねじ」とあるのを、「４１　固定ねじ」と訂正する。
ｉ．特許第２９６００２５号の明細書において、誤記の訂正を目的として、下記のとおり訂正する。
　すなわち、
　１．もとの明細書の【００３６】第４行の「一方の袋状部２４を収容する収容室３６」とあるのを「
他
　２．もとの明細書の【００６９】第２行および第４行の「皿ねじ２９」、「ねじ頭部２９ａ」とあるのを、「皿ねじ
４１
部
　３．もとの明細書の【００７２】第３行およびもとの明細書の【００７４】第６行の「当接凹部４０」とあるのを、「当接凹部４
４
（５４）【発明の名称】
耐火スクリーン装置
（５７）【特許請求の範囲】
　　【請求項１】　少なくとも２枚の難燃性耐火シートを有する難燃性耐火シート体と、この難燃性耐火シート体の２枚の難燃性耐火シートの連結縁部の相互を連結する難燃性連結具と、を具備し、
　前記２枚の難燃性耐火シートの連結縁部に抜止突条をそれぞれ形成し、
　前記難燃性連結具は、前記一方の難燃性耐火シートの抜止突条を保持して抜け止めする第１の保持部と、前記他方の難燃性耐火シートの抜止突条を保持して抜け止めする第２の保持部と、を有
し、
　前記第１の保持部及び前記第２の保持部は、第１の連結部材と第２の連結部材とにより形成し、
　前記第２の連結部材は、この第２の連結部材の幅方向の中間部に前記第１の連結部材に当接する当接凹部を形成し、
　前記第１の連結部材に前記第２の連結部材を固定することにより、前記第２の連結部材の当接凹部にて前記第１の保持部の一方の収容室と前記第２の保持部の他方の収容室が区画された状態に形成され、
　前記一方の収容室と他方の収容室内に、前記一方の難燃性耐火シートの抜止突条及び前記他方の難燃性耐火シートの抜止突条が、それぞれ収容されている
　ことを特徴とする耐火スクリーン装置。
　　【請求項２】　抜止突条は、難燃性耐火シートの縁部を折り返して形成した袋状部と、この袋状部内に挿入した棒状芯材とにより形成する
　ことを特徴とする請求項１記載の耐火スクリーン装置。
　　【請求項３】　難燃性連結具は、第１の連結部材と、第２の連結部材と、前記第１の連結部材に前記第２の連結部材を固定する固定ねじと、からな
る
　ことを特徴とする請求項１記載の耐火スクリーン装置。
　　【請求項４】
　第１の保持部の一方の収容室及び第２の保持部の他方の収容室は、それぞれ棒状芯材を有する袋部を収容するもので、
　
前記
前記
　ことを特徴とする請求項
２
【発明の詳細な説明】
　　　【０００１】
　　【発明の属する技術分野】
　本発明は耐火スクリーン装置に係り、火災時に煙りの拡散と延焼を防止するものに関する。
　　　【０００２】
　　【従来の技術】
　従来、この種の耐火スクリーン装置としては、たとえば、火災時に出入口や非常口等の被遮蔽部は、左右のガイドレールに沿って下降されるシート状の耐火スクリーンにて遮蔽する構成が知られている。この耐火スクリーンには被遮蔽部を遮蔽する大きさの一枚仕立ての耐火シート体を用いる構成、及び被遮蔽部を所定の幅に形成された複数枚の一枚仕立ての帯状耐火シートを互いに幅方向の両側縁部を重ね代として重ね合わせた状態に並設して遮蔽する構成のものがある。
　　　【０００３】
　　【発明が解決しようとする課題】
　前記耐火シート体及び各帯状耐火シートはいずれも一枚仕立てにて形成されているため、下降時には煽られて撓み急速に落下され難いとともに、これらの耐火シート体及び各帯状耐火シートの下端部が被遮蔽部の床面に密着され難く、また、被遮蔽部を遮蔽した遮蔽時には耐火シート体及び各帯状耐火シートは火災時の風圧によって煽られると、耐火シート体の場合にはこの耐火シート体が撓んでガイドレールから外れ易く、各帯状耐火シートの場合には撓み易く隣接する帯状耐火シートの互いに重なり合った重ね代が簡単に離間して開口され、この開口から火災時の煙り等が流出され易くなり、したがって、被遮蔽部を遮蔽して煙りの拡散と延焼を防止できないことがある、という問題がある。
　　　【０００４】
　本発明は、このような点に鑑みてなされたもので、難燃性耐火シート体を構成する少なくとも２枚の難燃性耐火シートを簡単に撓むことがないように補強を兼ねて連結し、難燃性耐火シートの下端部を被遮蔽部の床面に確実に密着でき、被遮蔽部を遮蔽した遮蔽時にはこの難燃性耐火シート体が火災時の煙り等によって煽られても簡単に撓むことがなく、したがって、煙りの拡散と延焼を防止できる耐火スクリーン装置を提供することを目的とするものである。
　　　【０００５】
　　【課題を解決するための手段】
　請求項１記載の耐火スクリーン装置は、少なくとも２枚の難燃性耐火シートを有する難燃性耐火シート体と、この難燃性耐火シート体の２枚の難燃性耐火シートの連結縁部の相互を連結する難燃性連結具と、を具備し、前記２枚の難燃性耐火シートの連結縁部に抜止突条をそれぞれ形成し、前記難燃性連結具は、前記一方の難燃性耐火シートの抜止突条を保持して抜け止めする第１の保持部と、前記他方の難燃性耐火シートの抜止突条を保持して抜け止めする第２の保持部と、を有
し、前記第１の保持部及び前記第２の保持部は、第１の連結部材と第２の連結部材とにより形成し、前記第２の連結部材は、この第２の連結部材の幅方向の中間部に前記第１の連結部材に当接する当接凹部を形成し、前記第１の連結部材に前記第２の連結部材を固定することにより、前記第２の連結部材の当接凹部にて前記第１の保持部の一方の収容室と前記第２の保持部の他方の収容室が区画された状態に形成され、前記一方の収容室と他方の収容室内に、前記一方の難燃性耐火シートの抜止突条及び前記他方の難燃性耐火シートの抜止突条が、それぞれ収容されている
　　　【０００６】
　そして、被遮蔽部を遮蔽する下降時には難燃性連結具の重量により難燃性耐火シート体が急速に落下されるとともにこの難燃性耐火シート体の下端部が被遮蔽部の床面に密着され、したがって、火災時には被遮蔽部が迅速に遮蔽される。
　　　【０００７】
　この際、難燃性耐火シート体を構成する少なくとも２枚の難燃性耐火シートはその連結縁部の相互が難燃性連結具にて連結されていることにより、この難燃性連結具にて難燃性耐火シート体の途中すなわち少なくとも２枚の難燃性耐火シートの連結縁部の相互が補強され、この難燃性耐火シート体が煽られて撓むことがなく、したがって、全体として難燃性耐火シート体がスムーズに急速に落下される。
　　　【０００８】
　また、被遮蔽部を遮蔽した遮蔽時には少なくとも２枚の難燃性耐火シートの連結縁部にこの相互を連結した難燃性連結具を有することにより、この難燃性連結具にて難燃性耐火シート体が補強されていることにより、この難燃性耐火シート体は被遮蔽部を遮蔽した状態に保持され、この難燃性耐火シート体が火災時の煙り等によって煽られても簡単に撓むことがなく、したがって、この難燃性耐火シート体にて煙りの拡散と延焼が防止される。
　　　【０００９】
　また、難燃性連結具の第１の保持部にて一方の難燃性耐火シートの縁部に形成された抜止突条が抜け止め保持されているとともに、難燃性連結具の第２の保持部にて他方の難燃性耐火シートの縁部に形成された抜止突条が抜け止め保持されていることにより、少なくとも２枚の難燃性耐火シートは一連の難燃性耐火シート体としてスムーズに昇降される。
　　　【００１０】
　請求項２記載の耐火スクリーン装置は、請求項１記載の耐火スクリーン装置において、抜止突条は、難燃性耐火シートの縁部を折り返して形成した袋状部と、この袋状部内に挿入した棒状芯材とにより形成するものである。
　　　【００１１】
　そして、難燃性耐火シートの縁部を折り返して形成した袋状部内に棒状芯材を挿入することにより、抜止突条が簡単に形成される。
　　　【００１２】
　請求項３記載の耐火スクリーン装置は、請求項１記載の耐火スクリーン装置において、難燃性連結具は、第１の連結部材と、第２の連結部材と、前記第１の連結部材に前記第２の連結部材を固定する固定ねじと、からな
る
　　　【００１３】
　そして、第１の連結部材と第２の連結部材とを合わせることにより、第１の保持部及び第２の保持部がそれぞれ簡単に形成され、第１の保持部に一方の難燃性耐火シートの抜止突条を介在しかつ第２の保持部に他方の難燃性耐火シートの抜止突条を介在した状態で固定ねじにて第１の連結部材に第２の連結部材を固定することにより、第１の保持部及び第２の保持部に一方の難燃性耐火シートの抜止突条及び他方の難燃性耐火シートの抜止突条が簡単に保持される。
　　　【００１４】
　請求項４記載の耐火スクリーン装置は、請求項
２
第１の保持部の一方に収容室及び第２の保持部の他方の収容室は、それぞれ棒状芯材を有する袋状部を収容するもので、前記
前記
　　　【００１５】
　そして、第１の保持部の収容室内に収容された棒状芯材を有する一方の袋状部は抜止口にて抜け止めされ、第２の保持部の収容室内に収容された棒状芯材を有する他方の袋状部は抜止口にて抜け止めされ、したがって、少なくとも２枚の難燃性耐火シートは外れることなく一連に連設される。
　　　【００１６】
　　【発明の実施の形態】
　以下、本発明の実施の形態を図面を参照して説明する。
　　　【００１７】
　図１乃至図
３
　　　【００１８】
　また、前記被遮蔽部２の上框体等の上側壁部４には前記左右のガイドレール１の上端部をそれぞれ挿入したスクリーンボックス５が固定され、このスクリーンボックス５の下端部には前記左右のガイドレール１に形成された前記挿入口３にそれぞれ連通して開口した左右方向の案内口６が開口されている。
　　　【００１９】
　また、前記スクリーンボックス５内には左右方向の巻取ドラム７を有する巻取軸８が回転自在に軸架され、この巻取軸８の一端部にはこの巻取軸８を回転駆動させる回転輪９が固着されている。また、前記回転輪９の下方に位置して前記スクリーンボックス５内には正逆転可能なモータ１０が固定され、このモータ１０の出力軸１１には前記回転輪９に対向する位置に駆動輪１２が固着され、この駆動輪１２と前記回転輪９との間には無端回行体１３が回行自在に懸架されている。
　　　【００２０】
　前記モータ１０は図示しない制御盤等により火災信号によって作動され、このモータ１０の出力は駆動輪１２、無端回行体１３及び回転輪９を介して減速されて前記巻取軸８に伝達され、後述する難燃性着床体が前記被遮蔽部２の床面に着床した位置で停止されるようになっている。
　　　【００２１】
　つぎに、前記巻取ドラム７には前記被遮蔽部２を遮蔽する昇降自在の難燃性耐火シート体１４の一端部（上端部）が固着されて巻き付けられ、この難燃性耐火シート体１４は前記巻取ドラム７の巻き戻しにより前記左右のガイドレール１の挿入口３に案内されて下降され前記被遮蔽部２を遮蔽するようになっている。
　　　【００２２】
　前記難燃性耐火シート体１４は、ガラスクロス、シリカクロス等からなる難燃性布地等にて所定の幅で縦長に形成された複数枚の帯状耐火シート１５からなり、この複数枚の帯状耐火シート１５はそれぞれの幅方向の両側端部を重ね代１６として互いに重ね合せた状態でそれぞれの一端部（上端部）が固着されて巻き付けられ、この各帯状耐火シート１５は下端部を自由端部として隣接する帯状耐火シート１５では互いに反対方向に向かって分離されるようになっている。
　　　【００２３】
　また、前記複数枚の帯状耐火シート１５の中で、両側端部に配置された帯状耐火シート１５の幅方向の外側端部を前記左右のガイドレール１の挿入口３内に移動自在に挿入する挿入部１７としてそれぞれ形成されている。
　　　【００２４】
　つぎに、前記複数枚の帯状耐火シート１５は、複数枚の難燃性耐火シート１８と、この複数枚の難燃性耐火シート１８の互いに対向する連結縁部１９の相互をそれぞれ連結する難燃性耐火シート１８の連結縁部１９の長さと同長さの複数の難燃性連結具２０とにより一連の縦長の帯状耐火シート１５としてそれぞれ形成されている。
　　　【００２５】
　また、前記複数枚の難燃性耐火シート１８の中で、隣接する２枚の難燃性耐火シート１８の連結縁部１９には、この難燃性耐火シート１８の厚さより大きく膨らませた状態に突出した抜止突条２１がそれぞれ形成されている。
　　　【００２６】
　前記対向する抜止突条２１は、それぞれの難燃性耐火シート１８の縁部を折り返すとともにこの折返縁部２２を難燃性耐火シート１８に重合し、この折返縁部２２と難燃性耐火シート１８の重合部とを難燃性縫着糸２３にて縫着して形成された袋状部２４と、この袋状部２４内に挿入された棒状芯材２５とによりそれぞれ形成されている。
　　　【００２７】
　また、前記複数の難燃性連結具２０は、第１の連結部材２６と、第２の連結部材２７と、前記第１の連結部材２６
に前
４１
これら皿ねじ４１に締着する複数のナット４２と、
　　　【００２８】
　前記第１の連結部材２６は、前記対向する抜止突条２１の一側面に当接する幅で板状に形成され、その長さ方向に所定の間隔をおいて前記複数の皿ねじ４１を挿通する円錐形状の皿孔２６ａがそれぞれ形成されている。
　　　【００２９】
　また、前記第２の連結部材２７は、
たとえば、図１に示すように、この第２の連結部材２７の幅方向の中間部に板状の第１の連結部材２６に当接する当接凹部４０が形成され、この当接凹部４０に第１の連結部材２６に形成された各皿孔２６ａに連通する複数の取付孔４０ａがそれぞれ形成されている。さらに、この第２の連結部材２７の
がそれぞれ形成されている。
　　　【００３０】（削除）
　　　【００３１】
　そして、
前記第１の連結部材２６の各皿孔２６ａから前記第２の連結部材２７の各取付孔４０ａに前記固定ねじとしての各皿ねじ４１をそれぞれ挿通し、この各皿ねじ４１に前記当接凹部４０内において前記ナット４２をそれぞれ締着することにより、第１の連結部材２６に第２の連結部材２７が固定される。
　　　【００３２】
　
また、第１の連結部材２６側から捩じ込んだ各皿ねじ４１はねじ頭部を各皿孔２６ａ内に係合して収容された状態で締着され、かつ、この各皿ねじ４１の円錐形状のねじ頭部が第１の連結部材２６の表面に突出することなく締着される。また、各ナット４２は第２の連結部材２７の当接凹部４０内において各皿ねじ４１に締着され、かつ、この各ナット４２及び各皿ねじ４１のねじ部が第２の連結部材２７の表面に突出することなく締着される。
　　　【００３３】
　
したがって、第１の連結部材２６の表面及び第２の連結部材２７の表面に突出する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。
　　　【００３４】
　そして
、前
前記第１及び第２の
　　　【００３５】
　また、前記第１の保持部３２は
、幅
　　　【００３６】
　また、前記第２の保持部３３は
、幅
他
なお、第１の連結部材２６に第２の連結部材２７を固定することにより、第２の連結部材２７の当接凹部４０にて第１の保持部３２の一方の収容室３４と第２の保持部３３の他方の収容室３６が区画された状態に形成され、これらの一方の収容室３４と他方の収容室３６内に、前記一方の難燃性耐火シート１８の抜止突条２１及び前記他方の難燃性耐火シート１８の抜止突条２１が、それぞれ収容されている。
　　　【００３７】
　このようにして、前記各難燃性耐火シート１８が各難燃性連結具２０にて連結されて縦長の複数枚の帯状耐火シート１５が形成されているが、この複数枚の帯状耐火シート１５の中で、手前側に配置される帯状耐火シート１５には手前側に第２の連結部材２７が突出する状態に各難燃性連結具２０を取り付ける。また、反対側に配置される帯状耐火シート１５には反対側に第２の連結部材２７が突出する状態に各難燃性連結具２０を取り付ける。
　　　【００３８】
　そして、複数枚の帯状耐火シート１５にて前記被遮蔽部２を遮蔽した際には、隣接する帯状耐火シート１５の重ね代１６の相互がそれぞれ離間することなく重なり合い、複数枚の帯状耐火シート１５の全体として被遮蔽部２を遮蔽する難燃性耐火シート体１４が構成されている。
　　　【００３９】
　つぎに、前記複数枚の帯状耐火シート１５の下端部には前記被遮蔽部２の床面３８に着床する難燃性着床体３９がそれぞれ取り付けられている。しかして、前記左右のガイドレール１、難燃性耐火シート体１４の各帯状耐火シート１５、各難燃性連結具２０及び難燃性着床体３９は火の熱に強く燃えにくい耐火性を有している。
　　　【００４０】
　つぎに、前記実施の形態の作用を説明する。
　　　【００４１】
　火災時にモータ１０を作動してこのモータ１０からの出力により巻取軸８が難燃性耐火シート体１４を巻き戻す方向に回転駆動されると、この巻取軸８の巻取ドラム７にて難燃性耐火シート体１４が順次巻き戻されながら左右のガイドレール１に案内されて下降され、この難燃性耐火シート体１４にて被遮蔽部２が遮蔽される。
　　　【００４２】
　この際、難燃性耐火シート体１４を構成した複数枚の帯状耐火シート１５は複数の枚の難燃性耐火シート１８を連結した複数の難燃性連結具２０及び下端部に難燃性着床体３９をそれぞれ有するので、この複数の難燃性連結具２０及び難燃性着床体３９の重量によりそれぞれの帯状耐火シート１５が同期してスムーズに落下されるとともに、この各帯状耐火シート１５の下端部の難燃性着床体３９が被遮蔽部２の床面３８に着床して密着される。そして、モータ１０の作動が停止され、各帯状耐火シート１５の巻き戻しが停止される。
　　　【００４３】
　したがって、火災時には難燃性耐火シート体１４にて被遮蔽部２が迅速に遮蔽され、すなわち、この難燃性耐火シート体１４を構成した複数枚の帯状耐火シート１５は隣接する重ね代１６の相互をそれぞれ重ね合わせた状態で下降され、この各帯状耐火シート１５にて被遮蔽部２が迅速に遮蔽される。
　　　【００４４】
　この際、難燃性耐火シート体１４を構成する各帯状耐火シート１５において、その隣接する難燃性耐火シート１８の対向する抜止突条２１の相互が難燃性連結具２０にてそれぞれ連結されていることにより、この各難燃性連結具２０にてそれぞれの帯状耐火シート１５の途中すなわち隣接する少なくとも２枚の難燃性耐火シート１８の対向する連結縁部１９の相互を連結した各連結部が補強され、この各連結部にて各帯状耐火シート１５が途中で簡単に撓むことが防止される。
　　　【００４５】
　したがって、各帯状耐火シート１５の下降時に各帯状耐火シート１５が煽られて撓むことがなく、全体として各帯状耐火シート１５がスムーズに落下され、この各帯状耐火シート１５の下端部の難燃性着床体３９が被遮蔽部２の床面３８に確実に密着される。
　　　【００４６】
　そして、被遮蔽部２を遮蔽した遮蔽時には各帯状耐火シート１５はそれぞれの各難燃性連結具２０にて補強されていることにより、この各帯状耐火シート１５は被遮蔽部２を遮蔽した状態に保持され、この各帯状耐火シート１５が火災時の煙り等によって煽られても簡単に撓むことがなく、両側端部に配置された帯状耐火シート１５の挿入部１７が左右のガイドレール１の案内口６から簡単に抜け出して外れることがない。
　　　【００４７】
　したがって、この各帯状耐火シート１５からなる難燃性耐火シート体１４にて被遮蔽部２が手前側と反対側が仕切られ、火災時の煙りの拡散と延焼が防止され、複数の難燃性連結具２０を有する各帯状耐火シート１５及び難燃性着床体３９が火の熱等により簡単には燃焼することがなく、避難、誘導、救助活動等に寄与できる。
　　　【００４８】
　さらに、各帯状耐火シート１５において、難燃性連結具２０の第１の保持部３２にて一方の難燃性耐火シート１８の縁部の抜止突条２１が抜け止め保持され、難燃性連結具２０の第２の保持部３３にて他方の難燃性耐火シート１８の縁部の抜止突条２１が抜け止め保持されていることにより、隣接する各難燃性耐火シート１８及び各難燃性連結具２０にて一連の帯状耐火シート１５としてスムーズに昇降される。
　　　【００４９】
　なお、難燃性耐火シート体１４は火災時に下降させて被遮蔽部２を全面的に遮蔽閉するようにしてもよく、また、難燃性耐火シート体１４は火災時以外の平常時からあらかじめ被遮蔽部２を全面的に遮蔽閉するようにしてもよい。
　　　【００５０】
　つぎに、各帯状耐火シート１５において、各難燃性耐火シート１８の抜止突条２１は、難燃性耐火シート１８の縁部を折り返して形成した袋状部２４と、この袋状部２４内に挿入した棒状芯材２５とにより形成されていることにより、難燃性耐火の抜止突条２１が簡単に形成される。
　　　【００５１】（削除）
　　　【００５２】（削除）
　　　【００５３】
　ま
　　　【００５４】（削除）
　　　【００５５】（削除）
　　　【００５６】（削除）
　　　【００５７】（削除）
　　　【００５８】（削除）
　　　【００５９】（削除）
　　　【００６０】
　つ
記実
　　　【００６１】
　その他の構成は前
記実
記実
　　　【００６２】
　このように構成することにより、前
記実
　　　【００６３】（削除）
　　　【００６４】（削除）
　　　【００６５】（削除）
　　　【００６６】（削除）
　　　【００６７】
　つ
１
１
５
　　　【００６８】
　その他の構成は前記第
１
１
１
　　　【００６９】
　このように構成することにより、第１の連結部材２６側から捩じ込んだ各皿ねじ
４１
部を
４１
部が
４１
　　　【００７０】
　したがって、第１の連結部材２６の表面及び第２の連結部材２７の表面に突出する突起部がなく、かつ、第２の連結部材２７は幅方向の両側部に円弧状面２７ｃを有し、難燃性耐火シート１８に鋭角で接触する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。
　　　【００７１】
　なお、前記第
１
１
５
　　　【００７２】
　つぎに、前記難燃性連結具２０は、前記第２の実施の形態（図
４
４
６
　　　【００７３】
　その他の構成は前記第２の実施の形態の場合と同様であるから第２の実施の形態と同一構成は第２の実施の形態に用いた符号を付して説明を省略する。
　　　【００７４】
　このように構成することにより、各皿ねじ４１に螺着するナットが不要となり、部品点数が少なく第１の連結部材２６に第２の連結部材２７が簡単に固着される。また、第１の連結部材２６の表面及び第２の連結部材２７の表面に突出する突起部がなく、かつ、第２の連結部材２７の当接凹部４４内に各皿ねじ４１のねじ部が収容位置され、難燃性耐火シート１８に鋭角で接触する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。
　　　【００７５】
　さらに、前記難燃性連結具２０は、前記実施の形態（図
６
７
　　　【００７６】
　その他の構成は前記実施の形態（図
６
　　　【００７７】
　このように構成することにより、第１の連結部材２６の表面及び第２の連結部材２７の表面に突出する突起部がなく、かつ、第１の連結部材２６は幅方向の両側部に円弧状面２６ｂを有し、難燃性耐火シート１８に鋭角で接触する突起部がないため、難燃性耐火シート１８を巻き取る際に第１の連結部材２６の表面及び第２の連結部材２７の表面にて難燃性耐火シート１８を損傷することなく難燃性耐火シート１８が巻き取られる。
　　　【００７８】（削除）
　　　【００７９】（削除）
　　　【００８０】（削除）
　　　【００８１】（削除）
　　　【００８２】（削除）
　　　【００８３】（削除）
　　　【００８４】（削除）
　　　【００８５】（削除）
　　　【００８６】（削除）
　　　【００８７】（削除）
　　　【００８８】（削除）
　　　【００８９】（削除）
　　　【００９０】（削除）
　　　【００９１】（削除）
　　　【００９２】（削除）
　　　【００９３】（削除）
　　　【００９４】（削除）
　　　【００９５】
　つ
８
　　　【００９６】
　そして、前記少なくとも上下２枚の難燃性耐火シート１８の両側端部をそれぞれ挿入部１８ａとして前記左右のガイドレール１の挿入口３に移動自在に挿入し、前記両側端部に位置する難燃性耐火シート片４７の外側端部をそれぞれ挿入部４７ａとして前記左右のガイドレール１の挿入口３に移動自在に挿入する。また、前記上下の各難燃性連結具２０ａ，２０ｂの両端部を挿入部４９として前記左右のガイドレール１の挿入口３に移動自在に挿入する。
　　　【００９７】
　また、前記複数枚の難燃性耐火シート片４７の下端部に難燃性着床体３９をそれぞれ取り付ける。その他の構成は前記実施の形態の場合と同様であるから前記実施の形態と同一構成についてはその実施の形態に用いた符号を付して説明を省略する。
　　　【００９８】
　このように構成することにより、上下の各難燃性連結具２０ａ，２０ｂにて少なくとも上下２枚の難燃性耐火シート１８及び複数枚の難燃性耐火シート片４７がそれぞれ補強される。
　　　【００９９】
　そして、被遮蔽部２を遮蔽した遮蔽時に難燃性耐火シート１８及び複数枚の難燃性耐火シート片４７が火災時の風圧等によって煽られたり、難燃性耐火シート１８及び複数枚の難燃性耐火シート片４７に圧力負荷が掛かった際には上下の各難燃性連結具２０ａ，２０ｂにて難燃性耐火シート１８及び複数枚の難燃性耐火シート片４７が簡単に撓んだり、また、上下の各難燃性連結具２０ａ，２０ｂの両端部の挿入部２０ｃが左右のガイドレール１の挿入口３から簡単に外れることが防止される。
　　　【０１００】
　したがって、難燃性耐火シート体１４にて被遮蔽部２が安定して遮蔽され、火災時の煙りの拡散と延焼が防止される。
　　　【０１０１】
　また、複数枚の難燃性耐火シート片４７の中の選択した位置の難燃性耐火シート片４７を、下部に位置する難燃性連結具２０ｂを中心として隣接する難燃性耐火シート片４７から離間する方向に押し開くことにより、すなわち、手前側から反対側に向かって、あるいき反対側から手前側に向かって押し開くことにより、緊急時等には容易に脱出することが可能となる。
　　　【０１０２】
　この実施の形態では上下２本の難燃性連結具２０ａ，２０ｂにて２枚の難燃性耐火シート１８及び複数枚の難燃性耐火シート片４７を連結する場合について説明したが、この難燃性連結具２０ａ，２０ｂは上下２本に限らず、所定の幅で形成される複数枚の難燃性耐火シート片４７の枚数に応じて複数本を用いてそれらの各難燃性耐火シート片４７の連結縁部１９の相互を連結するようにするとよい。
　　　【０１０３】
　したがって、前記各実施の形態において、難燃性連結具２０は少なくとも２枚の難燃性耐火シート１８の対向する連結縁部１９の相互を連結するものとして用いられている。
　　　【０１０４】
　　【発明の効果】
　請求項１の発明によれば、難燃性連結具にて難燃性耐火シート体を構成する少なくとも２枚の難燃性耐火シートを簡単に撓むことがないように補強を兼ねて確実に連結することができ、被遮蔽部を遮蔽する下降時には難燃性耐火シート体をスムーズに落下できるとともに難燃性耐火シートの下端部を被遮蔽部の床面に確実に密着でき、したがって、火災時に被遮蔽部を迅速に遮蔽することができる。
　　　【０１０５】
　また、被遮蔽部を遮蔽した遮蔽時にはこの難燃性耐火シート体が火災時の煙り等によって煽られても簡単に撓むことがなく、この難燃性耐火シート体にて被遮蔽部の遮蔽状態を保持でき、したがって、火災時煙りの拡散と延焼を防止することができる。
　　　【０１０６】
　また、難燃性連結具の第１の保持部にて一方の難燃性耐火シートの抜止突条を抜け止め保持し、難燃性連結具の第２の保持部にて他方の難燃性耐火シートの抜止突条を抜け止め保持することにより、両難燃性耐火シートの相互を確実に連結でき、難燃性耐火シート体を落下しても両難燃性耐火シートが分離することがなく、被遮蔽部の遮蔽時に両難燃性耐火シートの相互の連結部から火災時に煙り等が流出することを防止できる。
　　　【０１０７】
　したがって、簡単な構成により火災時に、避難、誘導、救助活動等を迅速かつ円滑に行うことに十分に寄与することができる耐火スクリーン装置を提供することができる。
　　　【０１０８】
　請求項２の発明によれば、請求項１の発明の効果に加え、抜止突条は、難燃性耐火シートの縁部を折り返して形成した袋状部と、この袋状部内に挿入した棒状芯材とにより形成したので、袋状部内に棒状芯材を挿入することにより抜止突条を簡単に形成することができる。
　　　【０１０９】
　請求項３の発明によれば、請求項１の発明の効果に加え、難燃性連結具は、第１の連結部材と、第２の連結部材と、前記第１の連結部材に前記第２の連結部材を固定する固定ねじと、からなり、前記第１の連結部材と前記第２の連結部材とにより第１の保持部及び第２の保持部をそれぞれ形成したので、第１の連結部材と第２の連結部材とを合わせることにより、第１の保持部及び第２の保持部を簡単に形成できる。
　　　【０１１０】
　そして、第１の保持部に一方の難燃性耐火シートの抜止突条を介在しかつ第２の保持部に他方の難燃性耐火シートの抜止突条を介在した状態で固定ねじにて第１の連結部材に第２の連結部材を固定することにより、第１の保持部及び第２の保持部にて一方の難燃性耐火シートの抜止突条及び他方の難燃性耐火シートの抜止突条をそれぞれ簡単にかつ確実に保持できる。
　　　【０１１１】
　請求項４の発明によれば、請求項１乃至３のいずれかの発明の効果に加え、第１の保持部及び第２の保持部は、それぞれ棒状芯材を有する袋状部を収容する収容室と、この収容室に連通して開口され袋状部の折返縁部を挿通して前記袋状部を抜け止めする抜止口とからなるので、第１の保持部の収容室内に収容された棒状芯材を有する一方の袋状部を抜止口にて確実に抜け止めでき、第２の保持部の収容室内に収容された棒状芯材を有する他方の袋状部を抜止口にて確実に抜け止めでき、したがって、少なくとも２枚の難燃性耐火シートは外れることなく確実に一連に連設することができる。
【図面の簡単な説明】
　　【図１】
　本発明の一の実施の形態を示す耐火スクリーン装置の一部の断面図である。
　　【図２】
　
同上耐火スクリーン装置の正面図である。
　　【図３】
　
同上縦断側面図である。
　　【図４】
　
他の実施の形態を示す耐火スクリーン装置の一部の断面図である。
　　【図５】
　
更に
　　【図６】
　更に他の実施の形態を示す耐火スクリーン装置の一部の断面図である。
　　【図７】
　更に他の実施の形態を示す耐火スクリーン装置の一部の断面図である。
　　【図８】
　更に他の実施の形態を示す耐火スクリーン装置の
正面図
　　【符号の説明】
　　　　１４　　難燃性耐火シート体
　　　　１８　　難燃性耐火シート
　　　　１９　　連結縁部
　　　　２０　　難燃性連結具
　　　　２１　　抜止突条
　　　　２２　　折返縁部
　　　　２４　　袋状部
　　　　２５　　棒状芯材
　　　　２６　　第１の連結部材
　　　　２７　　第２の連結部材
　　　　
４１
　　　　３２　　第１の保持部
　　　　３３　　第２の保持部
　　　　３４，３６　　収容室
　　　　３５，３７　　抜止口
【図面】